(57)【要約】【課題】  排泄物処理袋において畳んでも厚さが薄くて嵩張らず、排泄物を凝固する凝固剤や、殺菌水もセットにし、極めて小さな携帯トイレセットを提供する。【解決手段】  水溶性の袋に小便を凝固させる粉末凝固剤を挿入し、粉末凝固剤を中心にして直鎖状低密度ポリエチレンの厚さが５〜１５μｍで薄いフィルムを有底の袋としたもので折り畳たんで、該折り畳んだフィルムを二つ折りにした使用説明書に挟み、殺菌水を密封した袋ともに透明或いは半透明の袋に挿入し、殺菌水は、ホタテ貝殻から得たｐＨ１１〜１２.７の殺菌水である携帯用トイレセット。【選択図】図１０
2017205449.tif 000002
【特許請求の範囲】
【請求項１】
水溶性の袋に小便を凝固させる粉末凝固剤を挿入し、この袋を内部にして直鎖状低密度ポリエチレンの厚さが５〜１５μｍで薄いフィルムを有底の袋としたもので折り畳たんで、該折り畳んだフィルムを二つ折りにした使用説明書に挟み、手洗い水として殺菌水を密封した袋とともに、透明或いは半透明の大きさは横５〜８ｃｍ、縦７〜９ｃｍのセット梱包袋に折り畳んで挿入したことを特徴とする携帯用トイレセット。
【請求項２】
前記殺菌水は、ホタテ貝殻を焼成して１０〜３μの粒子したものを水に溶かして得たｐＨ１１〜１２.７の殺菌水であることを特徴する請求項１に記載の携帯用トイレセット。
【請求項３】
前記殺菌水を密封した袋は横３〜５ｃｍ、縦１.５〜３ｃｍの大きさであることを特徴する請求項２に記載の携帯用トイレセット。
【請求項４】
前記粉末凝固剤の袋の大きさは５〜９ｃｍ四方であることを特徴する請求項１〜３の記載から選択される携帯用トイレセット。
【請求項５】
前記薄いフィルムの厚さは、１０μｍであることを特徴とする請求項１に記載の携帯用トイレセット。
【請求項６】
前記粉末凝固剤には、消臭剤とを組み合わせたことを特徴する携帯トイレセット。
【請求項７】
前記消臭剤はヤシ殻活性炭であることを特徴する請求項６に記載の携帯トイレセット。
【請求項８】
前記粉末凝固剤はポリアクリル酸ナトリウムの高吸水性高分子であることを特徴する請求項１から６の記載から選択される携帯トイレセット。
【発明の詳細な説明】
【技術分野】
【０００１】
本発明は、携帯トイレセットに関するものであり、更に詳しくは、災害時や身体障害者等において使用され、また、運転中交通渋滞に巻き込まれたとき使用される携帯トイレセットに関するものである。
【背景技術】
【０００２】
近年、災害時や病院、交通渋滞時等で使用されるトイレ、また身体障害者、高齢者等が使用する排泄物処理袋及び携帯用トイレが知られており、例えば、男女兼用等各種の携帯用トイレが市販されている。
具体的には細長いホース状のポリ袋と紙筒ガイドとを有する男性用携帯トイレが、例えば、特許文献１、特許文献２に開示されている。
これら特許文献１の簡易トイレ及び排泄物処理袋において、排泄物処理袋はポリエチレンフィルムで作られ、袋体開口部近傍には紐を通すための孔等を設けて、紐を用いて袋体の口を括るようにしている。
また、特許文献２のポケットトイレは、板状環状部材と袋体からなり、板状環状部材は長手方向に対して折り曲げ、袋体は上端開口部の下方の内側表面に開閉用ファスナーを設けて開閉自在とし、さらに、袋体中には尿水吸収材、凝固剤及び消臭剤を有している。特許文献３には、尿吸収凝固包装体が開示され、この包装体は水溶紙で形成される袋内に椰子殻活性炭と吸水性ポリマーを封入し，小便に対する使用時には袋のまま尿内に投入して該尿を吸収凝固させる尿吸収凝固包装体が開示されている。
そこで、本発明者は、特許文献４として、排泄物処理袋において畳んでも薄く、使用の際に底部が丸味を呈し、強度もあり携帯や扱いが便利な排泄物処理袋を提供している。
【先行技術文献】
【特許文献】
【０００３】
【特許文献１】特開２００７−５０１３５号公報
【特許文献２】特開２０１３−２４８１０５号公報
【特許文献３】特開２０１３−２１２１５４号公報
【特許文献４】特開２０１６−５９７２０号公報
【発明の概要】
【発明が解決しようとする課題】
【０００４】
ところで、前記の特許文献１、特許文献２の排泄物処理袋は、袋体開口部近傍には紐を通すための孔を設けたり、ファスナーを設けたりしなければならないので、厚みもありゴワゴワしたものであり、何よりも、多量の携帯トイレセットとして備蓄しようとすると、スペースも必要であり、手軽に多数の人に配るのには不都合であるといった問題点があった。
また、排泄物が入った処理袋を廃棄するにしても、ゴワゴワしており体積も大きくなり処理しにくいと言った問題点もあり、衛生環境が劣悪な災害地域においては手洗いもできないような場合もある。更に、特許文献４のトイレセットには、手洗い水が付いていないため、災害時には断水するので手洗いができず、衛生的でないと言った問題点があった。
本発明は、前述の問題点に鑑みてなされたもので、排泄物処理袋において畳んでも厚さが薄くて嵩張らず、排泄物を凝固する凝固剤や、殺菌水もセットにし、極めて小さな携帯トイレセットを提供しようとするものである。
【課題を解決するための手段】
【０００５】
上記課題を解決するために、請求項１の発明は、水溶性の袋に小便を凝固させる粉末凝固剤を挿入し、この袋を内部にして直鎖状低密度ポリエチレンの厚さが５〜１５μｍで薄いフィルムを有底の袋としたもので折り畳たんで、該折り畳んだフィルムを二つ折りにした使用説明書に挟み、手洗い水として殺菌水を密封した袋とともに、透明或いは半透明の大きさは横５〜８ｃｍ、縦７〜９ｃｍのセット梱包袋に折り畳んで挿入したことを特徴とする携帯用トイレセットである。
請求項２の発明は、前記殺菌水は、前記殺菌水は、ホタテ貝殻を焼成して１０〜３μの粒子したものを水に溶かして得たｐＨ１１〜１２.７の殺菌水であることを特徴する請求項１に記載の携帯用トイレセットである。
請求項３の発明は、前記殺菌水を密封した袋は横３〜５ｃｍ、縦１.５〜３ｃｍの大きさであることを特徴する請求項２に記載の携帯用トイレセットである。
請求項４の発明は、前記粉末凝固剤の袋の大きさは５〜９ｃｍ四方であることを特徴する請求項１〜３の記載から選択される携帯用トイレセットである。
請求項５の発明は、前記薄いフィルムの厚さは、１０μｍであることを特徴とする請求項１に記載の携帯用トイレセットである。
請求項６の発明は、前記粉末凝固剤には、消臭剤とを組み合わせたことを特徴する携帯トイレセットである。
請求項７の発明は、前記消臭剤はヤシ殻活性炭であることを特徴する請求項６に記載の携帯トイレセットである。
請求項８の発明は、前記粉末凝固剤はポリアクリル酸ナトリウムの高吸水性高分子であることを特徴する請求項１から６の記載から選択される携帯トイレセットである。
【発明の効果】
【０００６】
本発明の携帯トイレセットの発明によれば、セットに含まれる排泄物処理袋は畳んでも極めて厚さが薄く嵩張らず、使用の際に底部が丸味を呈し、強度もあり、携帯や扱いが便利となり、災害用などのために大量に備蓄しても場所を占領せず、処理も生ゴミとして処理が可能である。
また、凝固剤を中心に排泄物処理袋で畳んでも薄くなり、凝固剤や消臭剤とを入れた水溶性の袋と組み合わせても、極めて小型軽量の携帯トイレセットとなり、家庭や自動車に常備しても場所を取らず、使用形態も故障したトイレや、上部が開放した箱や、野外でも使用できるといった様に、多岐に亘り、災害用の備蓄にも最適であり、且つ、排泄物が入った処理袋を廃棄する際にも生ゴミ或いは家庭ゴミとして廃棄が可能となり、場所も取らないといった利点がある。
【図面の簡単な説明】
【０００７】
【図１】本発明の実施例の直鎖状低密度ポリエチレンの円筒状のフィルムを折り畳んだ部分斜視図、
【図２】図１の折り畳んだフィルムを押圧した状態の部分斜視図、
【図３】図２の積層したフィルムの所定箇所にヒートシールとして積層フィルムを加熱接着し、ミシン目を施した状態の部分斜視図、
【図４】図３の状態のフィルム帯をミシン目から切り離して排泄物処理袋とした斜視図、
【図５】図４のＡ部分の拡大部分斜視図、
【図６】凝固剤が入った水溶性の袋の平面図、
【図７】中間処理での積層したフィルム２（６０cm×１５cm）の折り畳め開始状態の説明図
【図８】図７の状態から（ｂ）から(e)の順で折り畳む手順を示した説明図、
【図９】図８の状態から、使用説明書と手洗い水をセット梱包袋に梱包する手順（ｅ）（ｆ）を示した説明図、
【図１０】本発明の実施例である携帯トイレセットの断面図、
【図１１】本発明の実施例の排泄物処理袋及び携帯トイレセットのトイレでの使用方法を説明する説明図、
【図１２】図１１で排泄後の排泄物処理袋の処理方法を説明する説明図である。
【発明を実施するための形態】
【０００８】
本発明は、直鎖状低密度ポリエチレン(ＬＬＤＰＥ(Linear Low Density Poiythylene))の極めて薄いフィルムからなる袋であって、この筒状のフィルムを複数の襞状にして畳んで積層して、底部を熱シールし、使用に際して袋底部が丸みを呈するようにした排泄物処理袋を用いて、凝固剤６、使用説明書７、手洗い水８を入れた袋８１を極めて小さなセットにした携帯トイレセット５である。
以下に、本発明の携帯トイレセットの好適な実施例の図面を参照して説明する。
【実施例】
【０００９】
本発明の実施例の排泄物処理袋は、直鎖状低密度ポリエチレン(ＬＬＤＰＥ)の極めて薄いフィルムを使用するが、その厚さは、５〜１５μｍ、好ましくは、１０μｍ（０.０１mm）のものを使用している。
なお、この直鎖状低密度ポリエチレンは、Linear Low Density Polyethylene‐L-LDPEとも呼ばれ、繰り返し単位のエチレンと若干量のα‐オレフィンを共重合させた、熱可塑性樹脂に属する合成樹脂で、JIS K6899-1：2000においてリニアポリエチレンとは密度0.910〜0.925の直鎖状ポリエチレンコポリマーと定義されいる。食品包装の接着層等に使用され、耐ピンホール性に優れ、剛性や柔軟性はHDPEとLDPEの中間に位置し、耐熱性、耐水・耐薬品性に優れ、耐油性や界面活性剤が起こすストレスクラッキング（環境応力亀裂）への耐性はＨＤＰＥやＬＤＰＥを上回るものである。
【００１０】
図１に示すように、本実施例の携帯トイレセットに使用するの排泄物処理袋１は、この直鎖状低密度ポリエチレンの円筒状の薄いフィルム２を折り畳んで部分的に加熱してヒートシールするが、まず、その前提として、長手方向に細長い上面部２１と下面部２２を設けて、その他の部分を上面部２１と下面部２２との間に、蛇腹の複数の襞状にして畳んで積層する。この襞状(蛇腹状)の襞状部２３は、長手方向の中心線２４の位置まで約７．５cmの襞であるが(１つの襞状部の長さは１５cm)、両側から図１に示すように三層の襞状部２３a,２３b,２３cを形成するように折り畳んでいる。すなわち、両外側から３枚の襞状部２３a,２３b,２３cが内側に折り込まれている。
したがって、図１、図２から判るように、上から下に８層のフィルム２が積層されており、この積層フィルム帯３を押し圧すれば厚さが理論的には、１０μｍ×８枚＝８０μｍである。また、本実施例では、上面部１１及び下面部１２の幅は約１５cmであるので、元の円筒である円周の長さは、１５cm×８枚＝１２０cmである。
なお、襞状部２３の枚数が多ければ多いほど円周の長さは大きくなるが、逆に、積層フィルム帯３の厚みが増すので、製品を折りたたみづらく、円筒の直径も大きすぎるので襞状部２３の枚数は２枚から５枚程度が良く、好ましくは、本実施例のように３枚程度が扱い易さを考慮すれば適当である。
【００１１】
次に、図３及び図４に示すように、積層したフィルム２の積層フィルム帯３を長手方向の所定長毎に、本実施例では６０cm毎に、長手方向に対して直角方向に加熱し加圧するヒートシールし加熱接着部４として、それより長手方向の上側を袋底部１２とし、この袋底部１２及び加熱接着部４の長手方向の下側に位置する箇所に切断用のミシン目４１を設け、図４及びその切り口の拡大部分斜視図に示すように、使用に際してミシン目４１から切り離して、一方のミシン目４１は次の袋の開口部１１になり、加熱接着部４の近傍は袋底部１２が丸みを呈する排泄物処理袋となる。したがって、見た目の中間処理での積層したフィルム２の面積は６０cm×１５cmである。
この袋底部１２が丸みを呈する(図１１、１２参照)のは、袋の下端部が長さ１５cmのヒートシールされた加熱接着部４となり、そこから両側にそれぞれ３枚の襞が展開、すなわち１５／２cm×３層＝２２.５cmが展開されるので、尖った袋底部にはならず、丸みを呈する底部となり、処理後の形状がコンパクトになり収納効率や処理効率も向上する。
【００１２】
上記の様に形成された排泄物処理袋１は、従来の収納容積の排泄物処理袋と比較して角形袋(５重に折り畳み)した容積で約１／２、厚さは従来の食品用ラップと同等の１０μmであるので約１／３、重さに至っては従来は２６gであったが本実施例では７gとすることが可能となる。このことは、災害時等では排泄物処理袋が大量に出されることを考えれば、貴重なスペースの効率化に資するものである。
また、このヒートシールした加熱接着部４は、シール線の下の部分を故意に引き裂いた状態で、水１Lを排泄物処理袋に入れても、シールの巾h(図５参照)が１mmでも溶着していれば水が漏れることはなかった。なお、このシールの巾hは、１mmから５mm程度がシール性もよく扱いやすい。
【００１３】
この薄いフィルムの特徴は、厚さが５〜１５μｍ程度の袋であっても、水等を貯留しても破れることがなく強度(シューレン破裂強さ)があり、柔軟性(引張弾性率)があり畳んでも薄くてよく、且つ、ヒートシールで積層フィルム帯３を接着しても孔が空く(ヒートシール強さ)ことがない。なお、直鎖状低密度ポリエチレン(ＬＬＤＰＥ)の薄いフィルムの厚さを５μｍ〜１５μｍとしたのは、５μｍより薄いと強度が弱く破れやすく、１５μｍより厚いと製品もゴワゴワし扱いづらく嵩張り、従来のポリエチレンフィルムと同じ様に不都合であるからであり、好ましくは、１０μｍの厚さが最適である。
【００１４】
次に、上述した排泄物処理袋１を携帯トイレセットと使用する場合を説明する。
本実施例の排泄物処理袋１は５回に折り畳めば６.５cm×７.５cm程度に収まり重さも７gと軽量であるが、図１０に示すような、携帯トイレセット５であって、これに凝固剤７の８ｇの１袋を組み合わせても１５ｇである。
この携帯トイレセット５の特徴の１つは、超薄手のフィルムで製作した排泄物処理袋１に図６に示すし得ような水溶性の７cm×７cmの袋６１１に入れた凝固剤７を中心内部に折り畳んで、これを１３cm×８cmの使用説明書７に挟み、４cm×２ｃｍの水密の密封袋６３１に手洗い水８を密封したものを同梱し、最後にセット梱包袋５１に入れて１セットとしている。手洗い水用の袋は、コンパクトする観点から横３〜５ｃｍ、縦１.５〜３ｃｍの範囲が良い。
【００１５】
ここで、中間処理での積層したフィルム２の面積は６０cm×１５cmの排泄物処理袋１を凝固剤６の水溶性の袋６１１を包んで畳む手順と、使用説明書７で挟み手洗い水８を密封したものを同梱し、最後に透明或いは半透明のフィルムのセット梱包袋５１に梱包する手順を、図７〜９に沿って説明する。
前述のフィルム８枚重ねの６０cm×１５cmの積層フィルムを、先ず、図７(ａ)：長手方向に半分に畳み３０cm×１５cmにし、右から３／４の位置に凝固剤を置き、図８(ａ)：右側半分を１／２に折り畳み、図８(ｂ)：左側を凝固剤に折り込み、図８(ｃ):更に半分に折り畳み、図８(ｄ)：下側から上側に折り畳む。折り畳んだ凝固剤入りフィルムを、図９（ｆ)に示すように二つ折りにした使用説明書７に挟み、
図９（ｇ)：手洗い水用密封８１を一緒にしてセット梱包袋５１に梱包して完了する。
最終的な大きさは、横８cm、縦７cm、最も厚い箇所で０.８cmであり、排泄用丸底フィルムと排泄物の凝固剤と手洗い水との極めて小さな３点セットが構成される。
【００１６】
凝固剤６１は、例えば、前掲特許文献３に記載されているようなもので、本実施例ではセルレット(登録商標)として市販されているものを使用している。
この凝固剤６１は、水溶性の袋７１の中に、消臭剤と凝固剤を混入したもので、消臭剤としてはヤシ殻を焼いたヤシ殻活性炭であり、凝固剤としてはポリアクリル酸ナトリウム(-CH2CHCooNa-)nの高吸水性高分子である。
したがって、排泄物処理袋１に排泄した尿にセット梱包袋５１ごと投入すれば、直ちに、セット梱包袋５１が尿に溶け、中の消臭剤と凝固剤が溶けて消臭効果を奏するとともに、凝固剤により尿はゲル化する。
但し、大便の場合には、セット梱包袋５１を破いて、内部の消臭剤と凝固剤を大便に振りかければよく、凝固剤が水分を吸収して固まり、消臭剤の活性炭が悪臭を抑える作用をする。
【００１７】
ここで、図１１、図１２に沿って、排泄物処理袋１を用いた携帯トイレセット５の使用方法を説明する。
まず、携帯トイレセット５のセット梱包袋５１を開け、排泄物処理袋１を取り出し、上側の開口部１１を開き、空気を入れて丸底を形成するように拡げて、図１１に示すように、排泄物処理袋１の丸底を洋式トイレ９の底に置き、１２０cm円周の開口部１１を広げてトイレ９の縁に折り曲げてセットし、トイレ９の内面に排泄物処理袋１をフィットさせる。この際、排泄物処理袋１は丸底を呈するするので、従来のトイレ容器の内壁形状に合うので、１２０cm円周の開口部１１と相まって、トイレ８の内面に自然とフィットする。
こうして、準備完了後に使用者は、トイレ９に座り又はトイレ９を跨いで、排泄物処理袋１内に排泄する。そして、排泄後には排尿・排便等の排泄物Ｂに凝固剤６１を投入すれば、排尿、排便の使用は完了する。
その後、図１２に示すように、凝固剤が水分を吸収してゲル状(ゼリー状)に凝固した排尿、排便の排泄物Ｃは約３０秒で小さな塊となり、多くの排泄物処理袋１を積載しても荷崩れがなく安定し、また、そのまま生ゴミ処理が可能となる。
なお、この排泄物処理袋１は再び開口部１１を開いて再使用も可能である。
このように、携帯トイレセット５は非常に小さいので、大量に備蓄することができ、地震、台風、洪水、突風、落雷、竜巻等の災害時等に停電断水でトイレが機能しなくても、排泄物の処理が簡単に出来る。
【００１８】
ところで、上述の使用方法は水の出ない故障したトイレ９を想定したが、小さな段ボールか洗面器があれ、畑などに穴を掘り、段ボールか洗面器を配置して、そこに、前述のトイレ９の場合と同様に、排泄物処理袋１の丸底を段ボールや洗面器の底におき、必要であれば使用者はポンチョ等を着て、和風トイレ風に跨がって使用すればよい。
最後に、同梱の手洗い水用袋８１の端部を手で切って、手洗い水８で手を洗えばよい。本実施例の手洗い水８は、ホタテ貝殻を超高温で焼成して１０〜３μの粒子(パウダー )状にしたものを、１ｇ／１リットルの水に溶かして得たｐＨ１１〜１２.７の殺菌水であり、本実施例では１.５cc〜２ccの分包(液密の袋）にしものである。ｐＨ１１〜１２.７、より好ましくはｐＨ１２.５の殺菌水としたが、特徴はアルコールや化学物質は全く入っておらず、純天然の殺菌水で口ゆすぎもでき、ノロウイルス、大腸菌O−１５７、インフルエンザなどの予防にもなる無色透明な手洗い除菌水である。使用方法は分包のノッチから切り、手の窪みに手洗い水を入れ、爪・指から液にしたし、両手でよく擦るようにすればよく、水道水等の水が出なければ手洗いができなくても、この除菌作用のある手洗い水８で洗えば、ノロウイルス等のの除菌も可能であり、断水してもトイレが使え、野外での使える非常用のトイレである。
このように、携帯トイレセット５は、野外での使用が可能であるので、災害時は勿論のこと、交通渋滞の車中、介護現場、農作業、工事現場での使用も可能である。
【００１９】
以上のように、本発明の実施例の携帯トイレセットは、セットに含まれる排泄物処理袋は畳んでも極めて厚さが薄く嵩張らず、使用の際に底部が丸味を呈し、強度もあり、携帯や扱いが便利となり、災害用などのために大量に備蓄しても場所を占領せず、処理も生ゴミとして処理が可能である。
また、凝固剤を中心に排泄物処理袋で畳んでも薄くなり、凝固剤や消臭剤とを入れた水溶性の袋と組み合わせても、極めて小型軽量の携帯トイレセットとなり、家庭や自動車に常備しても場所を取らず、使用形態も故障したトイレや、上部が開放した箱や、野外でも使用できるといった様に、多岐に亘り、災害用の備蓄にも最適であり、且つ、排泄物が入った処理袋を廃棄する際にも生ゴミ或いは家庭ゴミとして廃棄が可能となり、場所も取らないといった利点がある。
なお、本発明の特徴を損なうものでなければ、上記の実施例に限定されるものでないことは勿論であり、例えば、直鎖状低密度ポリエチレン(ＬＬＤＰＥ)の厚さ、襞状部の長さ、襞状部の枚数等は実施例に限定されるものではなく、消臭剤もヤシ殻活性炭ではない他の消臭剤でも良く、凝固剤もポリアクリル酸ナトリウム以外の他の凝固剤でよいことは勿論である。
【符号の説明】
【００２０】
Ｂ・・排泄物、Ｃ・・凝固した排泄物、  
１・・排泄物処理袋、１１・・開口部、１２・・袋底部、
２・・フィルム、２１・・上面部、２２・・下面部、
２３,２３a,２３b,２３c・・襞状部、２４・・中心線
３・・積層フィルム帯
４・・加熱接着部(ヒートシール)、４１・・ミシン目、
５・・携帯トイレセット、５１・・セット梱包袋
６・・(消臭)凝固剤、６１・・水溶性の袋
７・・使用説明書、
８・・手洗い水、８１・・手洗い水用密封袋、
９・・トイレ
【図１】
2017205449.tif 000003
【図２】
2017205449.tif 000004
【図３】
2017205449.tif 000005
【図４】
2017205449.tif 000006
【図５】
2017205449.tif 000007
【図６】
2017205449.tif 000008
【図７】
2017205449.tif 000009
【図８】
2017205449.tif 000010
【図９】
2017205449.tif 000011
【図１０】
2017205449.tif 000012
【図１１】
2017205449.tif 000013
【図１２】
2017205449.tif 000014